(57)【要約】【課題】既存のシステムでは訪問者との対応者とのやり取りを念頭にして作られたものが多い。また、防犯機能では犯罪以前の対策として機能しているものがほとんどであり、犯罪後に生かされるものは多くはなかった。【解決手段】これを解決するためには、本人を確認する場合に、顔を指定位置にセットすることにより画像を識別しパソコンに登録、また認識した画像を検索することにより解決する。【選択図】図１
2004222036.tif 000002
【特許請求の範囲】
【請求項１】
利用者の顔を指定位置で識別した顔画像１０を識別してパソコンに登録でき、また認識した顔画像１０を蓄積することができ、識別して検索することにより該当する顔画像１０を見つけることが可能なシステム
【請求項２】
請求項１記載のシステムについて、顔画像１０を蓄積することにより事後に日付検索及び顔データの提供機能があるシステム
【請求項３】
複数カメラ１を用いた連続撮影映像をリアルタイムでコンピュータ解析することにより顔画像１０として認識する、また蓄積する機能を防犯に応用したシステム。
【請求項４】
請求項１記載のシステムについて、蓄積した顔画像１０と利用者の顔画像１０を照合することによりセキュリティとしての機能をもつシステム
【請求項５】
請求項１記載のシステムについて、利用者の顔を指定位置で識別した画像をパソコンが登録することにより、顔を登録されるという心理的抑制が働く防犯機能を用いたシステム
【発明の詳細な説明】
【発明の属する技術分野】
【０００１】
本発明は、本人を確認する場合に、顔を指定位置にセットすることにより画像を識別しパソコンに登録できるシステム及び画像を認識して検索することができるシステム、またそれを応用した防犯システムに関するものである。
【０００２】
【従来の技術】
従来のモニタ付インターフォンシステムは、訪問者との対応者とのやり取りを念頭にして作られたものが多く、家主が在宅時にのみに限り訪問者を確認できるシステムが多い。また映像記録型の防犯装置は高価である場合少なくない。既存のシステムでは犯罪以前の対策として機能しているものがほとんどであり、犯罪後に生かされるものは多くはなかった。
【０００３】
【発明が解決しようとする課題】
防犯システムであっても、その記録データを効率良く生かされているシステムはほとんど無かった。この場合、記録データとして残るものは膨大な量となり、その殆どが不要なものである。また、悪意ある訪問者に対しては、家主不在であっては何の対策にもならない可能性が大きい。
【０００４】
【課題を解決するための手段】
これを解決する手段として、『顧客顔データ蓄積機能』及び、『心理圧迫を利用したセキュリティシステム』による機能を用いる事により解決する。『顧客顔データ蓄積機能』は犯罪が起きた後に有効な機能を備えている。また、『心理圧迫を利用したセキュリティシステム』による機能は犯罪が起きる前の事前効果としての有効な機能を備えている。
【０００５】
さらに機能を分けて考えると、『顧客顔データ蓄積機能』による犯罪後の機能は大きく２つに分けられ、『画像蓄積機能』と『顔認識による画像貯蓄機能』とになる。
心理圧迫を利用したセキュリティシステムによる犯罪前の機能も大きく２つに分けられ、『蓄積データと顔認識機能によるセキュリティシステム』と『心理圧迫によるセキュリティシステム』とになる。これを図１に示す。
【０００６】
また、カメラ１を複数用いた場合でも、防犯システムに応用することができる。代表的なものとしてカメラ１を３つ使う場合を考える。入口／玄関１２に設置された３機のカメラ１により正面と横の３方向からの顔画像１０が撮影される。通常のインターフォンと同じように家屋の入口／玄関１２と室内１４をつなぐように設置する。撮影された顔画像１０はコンピュータにより画像解析され、リアルタイムでモニター１３に映し出される。これを図３に示す。また、認識された顔画像１０は蓄積されて防犯機能として役立つ。
【０００７】
【発明の実施の形態】
次にそれぞれの機能の実施の形態をさらに具体的に考えてみる。
図１は本発明をＡＴＭに例にした場合のシステム構成図である。まず訪問者２はカメラ取付媒体３（ここではＡＴＭ）にとりつけられたカメラ１に正面に顔の位置指定画像４として写す。写った顔データはセキュリティーセンター５のＰＣ機器６にて人の顔を自動認識し、高速でデータベースから利用者リストの顔データとの照合／検索（認識）を行う。
【０００８】データが正確に照合されてから初めて、利用者はキャッシュディスペンサーを利用することが出来るようになる。『顔登録システム』利用者となる利用者はあらかじめ、入会時に顔データを登録（識別）しておく必要がある。
【０００９】
次に『画像蓄積機能』を説明する。日付検索７から利用者の顔画像リスト８を蓄積し、犯罪後に利用者リストを顔画像１０付きでインターネットなどのブラウザ表示１１で確認することができる。日時表示９と顔画像１０の入手、これによって犯罪後の検挙効率を向上させ、スムーズに捜査を行うことが出来る。これを図２に示す。
【００１０】
『顔認識による画像貯蓄機能』を説明する。ＡＴＭや会場入口に設置した複数のカメラ１の撮影時、画像中の「顔」を認識／検出することによって自動的に顧客のクリップを作成していく。この顔認識技術は、人間の顔のコントラストや顔立ちをコンピュータ解析することによって顔を検出し、複数の画像の中からも同一人物を認識することが出来る。
【００１１】
また、画像中の顔画像１０の大きさや顔の向き、２０〜３０％の障害物（帽子等）などにも対応したものである。この認識機能によって、通常の防犯カメラ以上の効率で、無駄なデータ、つまり顔の写っていない時の映像データ部分を省くことが出来る。また、障害物が大きく認識の妨げとなる場合は障害物をはずすように自動音声で訪問者に通知する。
【００１２】
次に犯罪が起きる前に有効である、『心理圧迫を利用したセキュリティシステム』による機能を考えてみる。
『蓄積データと顔認識機能によるセキュリティシステム』を説明する。『顔登録システム』をセキュリティシステムとして機能する。
【００１３】
これは、事前に登録した、または、過去に蓄積した顧客の顔データと現在の利用者の顔データを照合することによって、コンピュータが確認／照合した顧客のみ入場許可されるというセキュリティシステムである。これによって悪意ある顧客のなりすましを防止し、管理者が不在の場合の重要な鍵となる。
【００１４】
『心理圧迫によるセキュリティシステム』を説明する。利用者にカメラ１を用いたシステムを利用している事を音声、文字表示などで告知しておけば、悪意ある訪問者に対しての心理的圧迫を促すことができ、防犯につながる。
これらのシステムは様々な場所、警備会社、マンション、パスポート、投票所、検定試験、スイカなどでの用途が考えられる。
【００１５】
【発明の効果】
よってこれらの機能により、顔を指定位置にセットすることにより画像を識別しパソコンに登録、蓄積することができ、犯罪以前、以後の処置に対応できる防犯システムが提供できる。
【図面の簡単な説明】
【図１】本発明のＡＴＭに応用した場合のシステム構成図である。
【図２】本発明の画像蓄積機能の実施図である。
【図３】本発明において３機のカメラ１を用いたシステム構成図である。
【符号番号】
１・・・カメラ
２・・・利用者
３・・・カメラ取付媒体（ＡＴＭ）
４・・・顔の位置指定画像
５・・・セキュリティーセンター
６・・・ＰＣ機器
７・・・日付検索
８・・・顔画像リスト
９・・・日時表示
１０・・・顔画像
１１・・・ブラウザ表示
１２・・・入口、玄関
１３・・・モニター
１４・・・室内
【図１】
2004222036.tif 000003
【図２】
2004222036.tif 000004
【図３】
2004222036.tif 000005